(57)【特許請求の範囲】
【請求項１】
少なくとも一方が開口する略筒状のスリーブと、前記スリーブの外周に巻き回されるソレノイドと、前記スリーブ内に固定される固定コアと、前記スリーブ内に前記固定コアに前記スリーブの軸方向で対向配置されると共に前記軸方向に摺動可能に配設される可動コアとを具備する電磁弁の前記スリーブ内に前記固定コアと前記可動コアとの内でどちらか一方の部材を挿入する第１挿入工程と、
前記固定コアと前記可動コアとの内の他方の部材を、前記他方の部材の前記一方の部材に対向する対向面とは反対側の面に係合可能な係合部と前記他方の部材を介して前記対向面よりも前記一方の部材側に突出する突出部とを備えた治具に組付け、前記スリーブの前記開口から前記他方の部材を備えた前記治具を前記スリーブ内に前記他方の部材の対向面とは反対側の面と前記治具の係合部との係合を維持しつつ挿入し、前記治具の前記突出部が前記一方の部材に当接することにより前記他方の部材の前記スリーブへの挿入を終了する第２挿入工程と、
を含む電磁弁の固定コア及び可動コアの組付け方法。
【請求項２】
前記一方の部材は前記可動コアであり、前記他方の部材は前記固定コアであり、前記第２挿入工程において前記固定コアが前記スリーブに圧入固定される請求項１の電磁弁の固定コア及び可動コアの組付け方法。
【請求項３】
少なくとも一方が開口する略筒状のスリーブと、前記スリーブの外周に巻き回されるソレノイドと、前記スリーブ内に固定される固定コアと、前記スリーブ内に前記固定コアに対向配置されると共に前記スリーブの軸方向に摺動可能に配設される可動コアとを備える電磁弁の前記スリーブに前記固定コア及び前記可動コアを組付ける組付装置において、
前記固定コアと前記可動コアとの内でどちらか一方の部材が前記スリーブに挿入された後に、前記固定コアと前記可動コアとの内で他方の部材を前記スリーブに挿入するためのものであって、前記他方の部材の前記一方の部材に対向する対向面とは反対側の面に係合可能な係合部と前記他方の部材を介して前記対向面よりも前記一方の部材側に突出する突出部とを備えた治具を具備する組付装置。
【発明の詳細な説明】
【０００１】
【発明の属する技術分野】
本発明は電磁弁の固定コア及び可動コアの組付け方法及びその組付装置に関するものである。
【０００２】
【従来の技術】
一般的に、電磁弁の固定コアと可動コアとの組付け方法は、
有底筒状を呈するスリーブと、前記スリーブの外周に巻き回されるソレノイドと、前記スリーブ内で前記スリーブの底面側に固定される固定コアと、前記スリーブ内の開口側で前記固定コアに対向配置されると共に前記スリーブの軸方向に摺動可能に配設される可動コアと、前記スリーブの開口に配設されると共に前記可動コアの前記スリーブの前記開口側に配設された弁体が着座可能な弁座部材とを備える電磁弁の前記スリーブ内に前記固定コアを挿入する第１挿入工程と、
前記固定コアの前記可動コアに対向する対向面にその一端面が当接するようにスペーサを前記スリーブに挿入する第２挿入工程と、
前記可動コアを、前記可動コアの前記固定コアに対向する対向面に前記スペーサの他端面が当接するように前記スリーブ内に挿入する第３挿入工程と、
前記スリーブの前記開口部に、前記可動コアの前記弁体が当接するように前記弁座部材を組付ける組付け工程と、
前記組付け工程後に、前記スリーブを変形させることにより前記固定コアを前記スリーブに固定する固定工程と、
前記固定工程後に、前記可動コアと、前記スペーサと、前記弁座部材とを前記スリーブから取り外す取り外し工程と、
前記取り外し工程後に、再度前記可動コアを前記スリーブ内に挿入する第４挿入工程と、
を含むものであった。
【０００３】
【発明が解決しようとする課題】
しかしながら、このような従来の組付け方法は、固定コア、可動コア、スペーサ、及び弁座部材をスリーブに組付けた後、可動コア、スペーサ、弁座部材をスリーブから取り外して、再度、可動コアをスリーブ内に挿入するものであることから、組付け作業に手間を有し、組付け作業能率の向上の妨げとなっていた。
【０００４】
更に、固定コアのスリーブへの固定においてスリーブを変形させる必要があり、安定して変形させるためには、複雑且つ高い寸法精度が要求されるものである。従って、コストの増大を招いていた。
【０００５】
本発明は、組付け工程の簡略化を図った電磁弁の固定コア及び可動コアの組付け方法及びその組付装置を提供することを、その技術的課題とするものである。
【０００６】
【課題を解決するための手段】
上記課題を解決するために、少なくとも一方が開口する略筒状のスリーブと、前記スリーブの外周に巻き回されるソレノイドと、前記スリーブ内に固定される固定コアと、前記スリーブ内に前記固定コアに前記スリーブの軸方向で対向配置されると共に前記軸方向に摺動可能に配設される可動コアとを具備する電磁弁の前記スリーブ内に前記固定コアと前記可動コアとの内でどちらか一方の部材を挿入する第１挿入工程と、前記固定コアと前記可動コアとの内の他方の部材を、前記他方の部材の前記一方の部材に対向する対向面とは反対側の面に係合可能な係合部と前記他方の部材を介して前記対向面よりも前記一方の部材側に突出する突出部とを備えた治具に組付け、前記スリーブの前記開口から前記他方の部材を備えた前記治具を前記スリーブ内に前記他方の部材の対向面とは反対側の面と前記治具の係合部との係合を維持しつつ挿入し、前記治具の前記突出部が前記一方の部材に当接することにより前記他方の部材の前記スリーブへの挿入を終了する第２挿入工程とを含む電磁弁の固定コア及び可動コアの組付け方法とした。
【０００７】
好ましくは、前記一方の部材は前記可動コアであり、前記他方の部材は前記固定コアであり、前記第２挿入工程において前記固定コアが前記スリーブに圧入固定される電磁弁の固定コア及び可動コアの組付け方法とした。
【０００８】
又、少なくとも一方が開口する略筒状のスリーブと、前記スリーブの外周に巻き回されるソレノイドと、前記スリーブ内に固定される固定コアと、前記スリーブ内に前記固定コアに対向配置されると共に前記スリーブの軸方向に摺動可能に配設される可動コアとを備える電磁弁の前記スリーブに前記固定コア及び前記可動コアを組付ける組付装置において、前記固定コアと前記可動コアとの内でどちらか一方の部材が前記スリーブに挿入された後に、前記固定コアと前記可動コアとの内で他方の部材を前記スリーブに挿入するためのものであって、前記他方の部材の前記一方の部材に対向する対向面とは反対側の面に係合可能な係合部と前記他方の部材を介して前記対向面よりも前記一方の部材側に突出する突出部とを備えた治具を具備する組付装置を構成した。
【０００９】
請求項１の電磁弁の固定コア及び可動コアの組付け方法は、電磁弁のスリーブ内に固定コアと可動コアとの内でどちらか一方の部材を挿入し、固定コアと可動コアとの内の他方の部材を治具によりスリーブ内に挿入しつつ、治具の突出部が一方の部材に当接することにより他方の部材のスリーブへの挿入が終了される。
【００１０】
請求項２の電磁弁の固定コア及び可動コアの組付け方法は、請求項１の作用に加えて、電磁弁のスリーブ内に可動コアを挿入し、固定コアを治具によりスリーブ内に圧入しつつ、治具の突出部が一方の部材に当接することにより他方の部材のスリーブへの挿入が終了される。
【００１１】
請求項３の組付装は、治具に固定コアと可動コアとの内で他方の部材を組付けることにより係合部で他方の部材に係合するとともに、突出部が他方の部材を介して対向面よりも一方の部材側に突出することになる。
【００１２】
【発明の実施の形態】
以下、本発明を実施の形態により具体的に説明する。
【００１３】
図１は本発明の一実施の形態の組付け方法により組付けられた電磁弁１の断面図である。電磁弁１は、有底筒状を呈すると共に磁性材から成るスリーブ２、スリーブ２の外周に巻き回されるソレノイド３、磁性材性の固定コア４、磁性材性の可動コア５、及び弁座６とを備えている。
【００１４】
略円筒状を呈する固定コア４はスリーブ２の軸方向（図１中上下方向）に延在される組付け孔２ａ内で、スリーブ２の開口部２ａａ側に圧入固定されている。固定コア４の径はスリーブ２の組付け孔２ａの径と略等しい径を有している。
【００１５】
可動コア５はスリーブ２の組付け孔２ａにスリーブ２の軸方向に摺動可能で、且つ、スリーブ２の底面部２ｂと固定コア４との間で、固定コア４にスリーブ２の軸方向で対向配置されている。可動コア５は、その一端面５ａがスリーブ２の底面２ｂに当接可能で、その他端面５ｂと固定コア４の一端面４ａ（対向面）とが対向するようにして配設されている。可動コア５は、その他端面５ｂに固定コア４の中心孔４ｂを介してスリーブ２の開口部２ａ側に向けてスリーブ２の軸方向に延在される弁体部５ｃを有している。
【００１６】
スリーブ２の開口部２ａには弁座部材６が圧入固定されており、弁座部材６と可動コア５の弁体部５ｃの段差部との間にスプリング７が配設されている。スプリング７は、ソレノイド３の非通電時に弁体部５ｃが着座する弁座６ａから離間する方向（図１中上方）に弁体部５ｃひいては可動コア５を付勢している。
【００１７】
スリーブ２の外周部には、図示しない流体通路に連通する第１ポート２ｃが形成されており、弁座部材６は、図示しない流体通路に連通する第２ポート６ｂを有している。弁体部５ｃが弁座６ａに着座することによって第１ポート２ｃと第２ポート６ｂとの連通が遮断され、弁体部５ｃが弁座６ａから離間することによって第１ポート２ｃと第２ポート６ｂとが連通される。
【００１８】
電磁弁１の作動としては、ソレノイド３に通電が行われていない図１に示す初期状態では、可動コア５がスプリング７により上方（図１中上方）に付勢されていることから、弁体部５ｃが弁座６ａから離間されている。従って、第１ポート２ｃと第２ポート５ａとが連通されている。
【００１９】
ソレノイド３が通電されると、スリーブ２と、固定コア４と、可動コア５とが磁路を形成して可動コア５と固定コア４との間に吸引力が生じ、可動コア５がスプリング７の付勢力に抗して下方（図１中下方）に吸引移動され、可動コア５の他端面５ｂが固定コア４の一端面４ａに当接する。従って、弁体部５ｃが弁座６ａに当接することにより、第１ポート２ｃと第２ポート６ｂとの連通が遮断される。
【００２０】
図２は固定コア４と可動コア５とのスリーブ２への組付け状態を示す図である。図２に示すように、電磁弁１のスリーブ２への固定コア４と可動コア５との組付けにおいては、先ず可動コア５がスリーブ２の組付け孔２ａ内に挿入される。
【００２１】
次いで、その一側（図２中下側）に固定コア４の中心孔４ｂ内に挿入される小径部８ａと、その他側（図２中上側）に小径部８ａの他端部に小径部８ａと同軸的に連続して配設されると共に小径部８ａよりも大きな径を有する大径部８ｂとを備えたパンチ８（治具）に、固定コア４を組付ける。パンチ８に固定コア４が組付けられることにより、小径部８ａが固定コア４の中心孔４ｂに挿入され、固定コア４の可動コア５に対向する面とは反対側の面である他端面４ｃがパンチ８の小径部８ａと大径部８ｂとの段差部８ｃ（係合部）に当接される。
【００２２】
更に、パンチ８に固定コア４が組付けられることにより、パンチ８の小径部８ａは固定コア４の可動コア５に対向する対向面である一端面４ａから突出する突出部８ｄが生じることになる。
【００２３】
パンチ８に固定コア４が取り付けられてパンチ８の段差部８ｃと固定コア４の他端面４ｃとの当接が維持された状態で、パンチ８がスリーブ２の開口から組付け孔２ａ内に挿入されることにより、固定コア５がスリーブ２の組付け孔２ａに圧入され、パンチ８の小径部８ａの一側端部が可動コア５の他端面５ｂに当接することによりパンチ８及び固定コア４のスリーブ２に対する移動が終了される。
【００２４】
パンチ８及び固定コア４の移動が終了されることにより固定コア４はスリーブ内に圧入固定され、固定コア４の一端面４ａと可動コア５の他端面５ｂとの間には、パンチ８の突出部８ｄの軸方向（図２中上下方向）の長さ分のギャップが形成される。
【００２５】
次いで、パンチ８がスリーブ２から取り出されることにより、固定コア４及び可動コア５のスリーブ２への組付けが完了される。パンチ８の突出部８ｄの軸方向長さを適宜設定することにより、固定コア４と可動コア５との間のギャップを調節することができる。
【００２６】
以上説明したように、本実施の形態の電磁弁１の固定コア４及び可動コア５の組付け方法及び組付装置によれば、固定コア４と可動コア５とをスリーブ２に組付けるために、従来の組付け方法のように可動コアをスリーブに仮組付けした後、再度、スリーブに組付ける必要が無いことから、簡素な組付けとでき、作業能率の向上を図ることができる。即ち、組付け工程の簡略化、組付け設備の小型化、及びそれに伴うコストの低減を可能としている。
【００２７】
更に、パンチ８の突出部８ｄの軸方向長さを適宜変更するだけで、容易に固定コア４と可動コア５との間の初期ギャップを容易に設定することができる。
【００２８】
従って、組付け工程の簡略化を図った電磁弁１の固定コア４及び可動コア５の組付け方法及びその組付け装置を提供することを可能としている。
【００２９】
本実施の形態においては、電磁弁１は常開弁として構成されているが、特にこの構成に限定されるものではなく、例えば、常閉弁の電磁弁において本発明の組付け方法及び組付装置をもちいても同様の作用効果が得られる。
【００３０】
又、本実施の形態においては、スリーブ２は有底筒状を呈しているが特にこの形状に限定されるものではなく、例えば、筒状のスリーブを備えた電磁弁において本発明の組付け方法及び組付け装置を用いても同様の作用効果が得られる。
【００３１】
以上、本発明を上記実施の態様に則して説明したが、本発明は上記態様にのみ限定されるものではなく、本発明の原理に準ずる各種態様を含むものである。
【００３２】
【発明の効果】
以上説明したように、請求項１の発明によれば、固定コアと可動コアとをスリーブに組付けるために、従来の組付け方法のように可動コアをスリーブに仮組付けした後、再度、スリーブに組付ける必要が無いことから、簡素な組付けとでき、作業能率の向上を図ることができる。即ち、組付け工程の簡略化、組付け設備の小型化、及びそれに伴うコストの低減を可能としている。
【００３３】
従って、組付け工程の簡略化を図った電磁弁の固定コア及び可動コアの組付け方法を提供することを可能としている。
【００３４】
請求項２の発明のよれば、請求項１の発明の効果に加えて、固定コアのスリーブへの組付けをより容易に行うことができる。
【００３５】
請求項３の発明によれば、治具の突出部の軸方向長さを適宜変更するだけで、容易に固定コアと可動コアとの間の初期ギャップを設定することができる。
【００３６】
従って、組付け工程の簡略化を図った電磁弁の固定コア及び可動コアの組付け装置を提供することを可能としている。
【図面の簡単な説明】
【図１】実施の形態の電磁弁１の断面図。
【図２】この発明に係る固定コア４及び可動コア５のスリーブ２への組付け方法を示す図。
【符号の説明】
１  電磁弁
２  スリーブ
３  ソレノイド
４  固定コア
４ａ  一端面                    ４ｃ  他端面
５  可動コア
８  パンチ
８ｃ  段差部                    ８ｄ  突出部
【図１】
0003932683.tif 000002
【図２】
0003932683.tif 000003